(57)【特許請求の範囲】
【請求項１】
規格が異なる複数の信号を多重化した第１の信号を受信し、ネットワークに送信可能かつ前記ネットワークから受信可能な前記複数の信号に含まれる第１のネットワーク信号を前記第１の信号から分離する第１の通信手段と、
前記ネットワークに送信可能かつ前記ネットワークから受信可能な第２のネットワーク信号を少なくとも受信する第２の通信手段と、
前記第１または第２のネットワーク信号から一方のネットワーク信号を選択する選択手段と、
制御手段と、を有し、
前記第１の通信手段は、前記第１のネットワーク信号のリンクを確認する第１の接続確認手段を有し、
前記第２の通信手段は、前記第２のネットワーク信号のリンクを確認する第２の接続確認手段を有し、
前記制御手段は、
前記第１のネットワーク信号と前記第２のネットワーク信号のうち予め設定されたネットワーク信号を前記一方のネットワーク信号として前記選択手段に選択させ、
前記第１または第２の接続確認手段により前記予め設定されたネットワーク信号のリンクが確認された場合には、前記予め設定されたネットワーク信号の通信を行い、
前記第１または第２の接続確認手段により前記予め設定されたネットワーク信号のリンクが確認されず、かつ、前記予め設定されたネットワーク信号と異なるネットワーク信号のリンクが確認された場合には、前記予め設定されたネットワーク信号を変更するか否かの指示を受信する受信動作、または、警告操作を行うことを特徴とする通信装置。
【請求項２】
前記制御手段は、さらに、前記第１および第２のネットワーク信号のいずれでも前記一方のネットワーク信号として前記選択手段に選択させることが可能な第１の選択モードを設定可能であり、
前記第１の選択モードにおいては、前記第１および第２のネットワーク信号のうち前記第１および第２の接続確認手段によって先にリンクが確認されたネットワーク信号を前記一方のネットワーク信号として前記選択手段に選択させ、選択された前記一方のネットワーク信号の通信を行うことを特徴とする請求項１に記載の通信装置。
【請求項３】
前記複数の信号は非ネットワーク信号を含み、
前記制御手段は、前記選択手段に前記第２のネットワーク信号を選択させた場合に、前記第１の通信手段に前記非ネットワーク信号の送受信を可能とさせることを特徴とする請求項１または２に記載の通信装置。
【請求項４】
前記制御手段は、前記選択手段に前記第１のネットワーク信号を選択させた場合に、前記第２の通信手段の前記第２のネットワーク信号の送受信を停止させることを特徴とする請求項３に記載の通信装置。
【請求項５】
前記第１の通信手段はＨＤＢａｓｅＴ信号を送受信可能であり、前記第２の通信手段はＥｔｈｅｒｎｅｔ信号を送受信可能であることを特徴とする請求項１から４のいずれか一項に記載の通信装置。
【請求項６】
前記第２の通信手段は、規格が異なる複数の信号を多重化した第２の信号を受信し、前記第２の信号から前記第２のネットワーク信号を分離し、
前記第２の接続確認手段は、前記第２の通信手段に対する前記第２の信号に含まれる前記第２のネットワーク信号のリンクを確認することを特徴とする請求項１から５のいずれか一項に記載の通信装置。
【請求項７】
前記第１および第２の通信手段はそれぞれ、ＨＤＢａｓｅＴ信号を送受信可能であることを特徴とする請求項６に記載の通信装置。
【請求項８】
前記複数の信号は非ネットワーク信号を含み、
前記制御手段は、前記選択手段に前記予め設定されたネットワーク信号として前記第１のネットワーク信号を選択させ、前記第１の接続確認手段により前記第１のネットワーク信号のリンクが確認されない場合、前記選択手段に前記第２のネットワーク信号を選択させ、前記第２のネットワーク信号のリンクが確認されたとき、前記第１の通信手段に前記非ネットワーク信号の送受信を可能とするとともに、前記第２のネットワーク信号の通信を行うことを特徴とする請求項３に記載の通信装置。
【請求項９】
前記第１のネットワーク信号と前記第２のネットワーク信号のうち予め設定されたネットワーク信号を前記一方のネットワーク信号として前記選択手段に選択させるモードまたは前記第１の選択モードを選択する操作を可能とする操作手段における前記操作の情報を前記制御手段に送信する第３の通信手段をさらに有することを特徴とする請求項２に記載の通信装置。
【請求項１０】
前記制御手段は、前記選択手段により選択された前記一方のネットワーク信号の通信が行われた後に、該一方のネットワーク信号のリンクが確認されなくなった場合に、前記第１および第２の通信手段のうち少なくとも一方を初期状態に戻すことを特徴とする請求項１から９のいずれか一項に記載の通信装置。
【請求項１１】
前記第１の通信手段に接続される外部機器は、前記複数の信号のリンクを確認する機能を有し、
前記制御手段は、前記外部機器による前記リンクの確認結果と前記第１および第２の接続確認手段による前記確認結果とに応じた情報を表示手段に表示させることを特徴とする請求項１から１０のいずれか一項に記載の通信装置。
【請求項１２】
請求項１から１１のいずれか一項に記載の通信装置と、
前記通信装置が受信した前記一方のネットワーク信号に応じた画像を表示する表示手段とを有することを特徴とする画像表示装置。
【請求項１３】
規格が異なる複数の信号を多重化した第１の信号を受信し、ネットワークに送信可能かつ前記ネットワークから受信可能な前記複数の信号に含まれる第１のネットワーク信号を前記第１の信号から分離する第１の通信手段と、
前記ネットワークに送信可能かつ前記ネットワークから受信可能な第２のネットワーク信号を少なくとも受信する第２の通信手段と、
前記第１または第２のネットワーク信号から一方のネットワーク信号を選択する選択手段と、を有する通信装置のコンピュータに、
前記第１のネットワーク信号のリンクを確認させ、
前記第２のネットワーク信号のリンクを確認させ、
前記第１のネットワーク信号と前記第２のネットワーク信号のうち予め設定されたネットワーク信号を前記一方のネットワーク信号として選択させ、
前記予め設定されたネットワーク信号のリンクが確認された場合には、前記予め設定されたネットワーク信号の通信を行わせ、
前記予め設定されたネットワーク信号のリンクが確認されず、かつ、前記予め設定されたネットワーク信号と異なるネットワーク信号のリンクが確認された場合には、前記予め設定されたネットワーク信号を変更するか否かの指示を受信する受信動作、または、警告操作を行わせることを特徴とする通信制御プログラム。
【発明の詳細な説明】
【技術分野】
【０００１】
本発明は、ネットワークに接続可能な通信装置およびこれを備えた画像表示装置に関する。
【背景技術】
【０００２】
映像機器やコンピュータ等のソース機器から入力された信号に応じて画像をディスプレイに表示したりスクリーンに投射したりする直視型または投射型画像表示装置は、様々なソース機器からの信号が入力可能であることが望ましい。例えば、ＤＶＤプレーヤ、Blu-ray Discプレーヤ等のソース機器からのＨＤＭＩ信号、コンピュータからのＤＶＩ信号およびＵＳＢ機器からのＵＳＢ信号に加えて、Ｅｔｈｅｒｎｅｔ（登録商標）等を通じたＬＡＮ信号が入力可能であることが望ましい。ＨＤＭＩはHigh-Definition Multimedia Interface、ＤＶＩはDigital Visual Interface、ＵＳＢはUniversal Serial Busの略である。
【０００３】
特許文献１にて開示された画像表示装置では、複数の入力端子を入力セレクタにより切り替えて映像信号が接続（入力）されているか否かを確認し、映像信号が接続されていない場合はその旨を表示し、映像信号が接続されている場合はその映像信号を表示する。また、複数の映像信号が接続されている場合は、映像信号の接続状況を表示して、ユーザに接続する映像信号を選択させたり自動的に選択したりする。
【０００４】
また、特許文献２には、ＬＡＮ用の入力信号として、Ｅｔｈｅｒｎｅｔ規格に準拠した信号とＨＤＢａｓｅＴ規格に準拠した信号とが接続可能な画像表示装置が開示されている。
【先行技術文献】
【特許文献】
【０００５】
【特許文献１】特開２００６−２８５１６７号公報
【特許文献２】特開２０１４−７１４３６号公報
【発明の概要】
【発明が解決しようとする課題】
【０００６】
しかしながら、特許文献１にて開示された画像表示装置では、電源投入時の初期状態に入力端子における信号の接続の有無（接続状態）を確認して接続する信号を設定すると、その後に接続状態が変化しても対応することができない。すなわち、設定された信号の接続が途中で切れたり新たに入力端子に信号が接続された場合でも、それらの接続状態を監視して表示したり自動的に再接続したりして接続状態の変化に応じた適切な入力信号の接続を行うことができない。
【０００７】
また、特許文献２にて開示された画像表示装置では、ＬＡＮに接続可能なＥｔｈｅｒｎｅｔとＨＤＢａｓｅＴの２種類の信号に対して予めどちらを使用するかが設定される。そして、非設定側の入力信号の通信回路の電源をＯＦＦし、設定側の入力信号の通信回路の電源をＯＮして、この設定側の入力端子に信号が接続されるのを待つ。ここで、ＥｔｈｅｒｎｅｔとＨＤＢａｓｅＴは互いに同じ形状のコネクタを備えたＬＡＮケーブルを使用するため、双方のＬＡＮケーブルを誤挿入する可能性がある。しかし、非設定側の入力端子にＬＡＮケーブルが誤挿入されても、警告が表示されず、装置の状態や入力端子における信号の接続状態がどのようになっているのかがユーザに分からない。
【０００８】
また、ＨＤＢａｓｅＴの動作モードは、ＬＡＮを含むモードとＬＡＮを含まないモードがあり、ＬＡＮを含まない動作モードが設定された場合にＥｔｈｅｒｎｅｔによりＬＡＮへの接続が可能となる。しかし、特許文献２の装置では、信号の接続状態や動作モードによらず、ＨＤＢａｓｅＴまたはＥｔｈｅｒｎｅｔのどちらか一方の入力信号の選択を行うため、動作モードによってはＬＡＮに接続することができない。
【０００９】
本発明は、ネットワークに接続可能な複数の通信回路を有する場合に、該複数の通信回路に対する信号の接続に応じて適切な動作モードを設定して通信を行えるようにした通信装置およびこれを備えた画像表示装置を提供する。
【課題を解決するための手段】
【００１０】
本発明の一側面としての通信装置は、規格が異なる複数の信号を多重化した第１の信号を受信し、ネットワークに送信可能かつ前記ネットワークから受信可能な前記複数の信号に含まれる第１のネットワーク信号を前記第１の信号から分離する第１の通信手段と、前記ネットワークに送信可能かつ前記ネットワークから受信可能な第２のネットワーク信号を少なくとも受信する第２の通信手段と、前記第１または第２のネットワーク信号から一方のネットワーク信号を選択する選択手段と、制御手段と、を有し、前記第１の通信手段は、前記第１のネットワーク信号のリンクを確認する第１の接続確認手段を有し、前記第２の通信手段は、前記第２のネットワーク信号のリンクを確認する第２の接続確認手段を有し、前記制御手段は、前記第１のネットワーク信号と前記第２のネットワーク信号のうち予め設定されたネットワーク信号を前記一方のネットワーク信号として前記選択手段に選択させ、前記第１または第２の接続確認手段により前記予め設定されたネットワーク信号のリンクが確認された場合には、前記予め設定されたネットワーク信号の通信を行い、前記第１または第２の接続確認手段により前記予め設定されたネットワーク信号のリンクが確認されず、かつ、前記予め設定されたネットワーク信号と異なるネットワーク信号のリンクが確認された場合には、前記予め設定されたネットワーク信号を変更するか否かの指示を受信する受信動作、または、警告操作を行うことを特徴とする。
【００１１】
なお、上記通信装置と、該通信装置が受信した上記一方のネットワーク信号に応じた画像を表示する表示手段とを有する画像表示装置も、本発明の他の一側面を構成する。
【００１２】
また、本発明の他の一側面としての通信制御プログラムは、規格が異なる複数の信号を多重化した第１の信号を受信し、ネットワークに送信可能かつ前記ネットワークから受信可能な前記複数の信号に含まれる第１のネットワーク信号を前記第１の信号から分離する第１の通信手段と、前記ネットワークに送信可能かつ前記ネットワークから受信可能な第２のネットワーク信号を少なくとも受信する第２の通信手段と、前記第１または第２のネットワーク信号から一方のネットワーク信号を選択する選択手段と、を有する通信装置のコンピュータに、前記第１のネットワーク信号のリンクを確認させ、前記第２のネットワーク信号のリンクを確認させ、前記第１のネットワーク信号と前記第２のネットワーク信号のうち予め設定されたネットワーク信号を前記一方のネットワーク信号として選択させ、前記予め設定されたネットワーク信号のリンクが確認された場合には、前記予め設定されたネットワーク信号の通信を行わせ、前記予め設定されたネットワーク信号のリンクが確認されず、かつ、前記予め設定されたネットワーク信号と異なるネットワーク信号のリンクが確認された場合には、前記予め設定されたネットワーク信号を変更するか否かの指示を受信する受信動作、または、警告操作を行わせることを特徴とする。
【発明の効果】
【００１３】
本発明によれば、それぞれネットワークに接続可能な第１および第２の通信手段に対する信号の接続を確認し、その確認結果に応じて第１および第２の通信手段に対して適切な動作モードを設定して通信を行うことができる。
【図面の簡単な説明】
【００１４】
【図１】本発明の実施例１である通信装置を含むプロジェクタとデータ送信機器との接続例を示すブロック図。
【図２】上記プロジェクタの構成を示すブロック図。
【図３】実施例１における処理を示すフローチャート。
【図４】本発明の実施例２における処理を示すフローチャート。
【図５】実施例２における動作モードを示す図。
【図６】本発明の実施例３であるプロジェクタの構成を示すブロック図。
【図７】実施例３における動作モードを示す図。
【発明を実施するための形態】
【００１５】
以下、本発明の実施例について図面を参照しながら説明する。
【実施例１】
【００１６】
図１には、本発明の実施例１である通信装置を含む画像表示装置（画像投射装置）としてのプロジェクタ５００とデータ送信機器６００，７００との接続例を示している。この接続例では、プロジェクタ５００は、ＲＪ４５コネクタ１０，２０を有し、それぞれのＲＪ４５コネクタ１０，２０にデータ送信機器であるＨＤＢａｓｅＴ機器６００およびＥｔｈｅｒｎｅｔ機器７００がＬＡＮケーブル６５０，７５０を介して接続されている。プロジェクタ５００は、これらデータ送信機器６００，７００から入力された（受信した）データ信号を投射画像８２０として被投射面８１０に投射（表示）する。
【００１７】
なお、本実施例では、プロジェクタにＨＤＢａｓｅＴ機器およびＥｔｈｅｒｎｅｔ機器が接続されている場合について説明する。しかし、プロジェクタに、ＨＤＭＩ信号を出力するＤＶＤプレーヤ、Ｂｌｕ−ｒａｙ  Ｄｉｓｃプレーヤ等の映像ソース機器や、ＤＶＩ信号、DisplayPort信号を出力するコンピュータを接続してもよい。さらには、ＵＳＢ信号を出力するＵＳＢ機器を接続してもよい。図１および他の図において、ＨＤＢａｓｅＴはＨＤＢＴと記す。
【００１８】
ここで、ＲＪ４５コネクタは、ＬＡＮケーブルに使用される８ｐｉｎのコネクタである。ＥｔｈｅｒｎｅｔはＬＡＮ等で使用されているネットワーク規格であり、データ転送レートが１０Ｍｂｐｓの１０ＢＡＳＥ−Ｔや１００Ｍｂｐｓの１００ＢＡＳＥ−ＴＸ、１Ｇｂｐｓの１０００ＢＡＳＥ−Ｔ等が知られている。例えば、１０ＢＡＳＥ−Ｔと１００ＢＡＳＥ−ＴＸは４線式であり、１０００ＢＡＳＥ−Ｔは８線式である。送信機器と受信機器のＥｔｈｅｒｎｅｔの規格が異なる場合は、接続時にオートネゴシエーションを行い、双方が通信可能な規格を自動選択して通信を開始する。
【００１９】
ＨＤＢａｓｅＴは、The HDBaseT Allianceによって策定された通信規格であり、ＲＪ４５コネクタを有するＬＡＮケーブルによる８線式の通信である。このＨＤＢａｓｅＴは、Ｅｔｈｅｒｎｅｔ規格である１００ＢＡＳＥ−Ｔと、ＨＤＭＩ信号、音響信号、機器制御信号および電力の５種類の信号とを合わせて独自のプロトコルで送受信することができる。つまり、複数の規格の信号に対応することが可能である。
【００２０】
このように、ＨＤＢａｓｅＴとＥｔｈｅｒｎｅｔは同一コネクタを有するＬＡＮケーブルを使用するため、ＬＡＮケーブルを意図しない機器に誤接続してしまう可能性がある。      
【００２１】
例えば、図１において、破線６６０で示すＬＡＮケーブルの一端はＨＤＢａｓｅＴ機器６００のＲＪ４５コネクタ６１０に接続され、他端はＥｔｈｅｒｎｅｔ用のＲＪ４５コネクタ２０に接続されている。また、一点破線７６０で示すＬＡＮケーブルの一端はＥｔｈｅｒｎｅｔ機器７００のＲＪ４５コネクタ７２０に接続され、他端はＨＤＢａｓｅＴ用のＲＪ４５コネクタ１０に接続されている。このような接続は、ＨＤＢａｓｅＴとＥｔｈｅｒｎｅｔのコネクタが同一であることによって生じる誤接続である。
【００２２】
図２には、プロジェクタ５００の構成を示している。プロジェクタ５００には、通信装置を含む信号処理部２００と、光学／投射部３２０と、光源３４０と、冷却ファン３６０とが設けられている。また、プロジェクタ５００には、外部機器としての表示操作装置（表示手段および操作手段）３００が接続されている。
【００２３】
ＲＪ４５コネクタ１０，２０はそれぞれ、ＨＤＢａｓｅＴとＥｔｈｅｒｎｅｔ用のコネクタである。
【００２４】
受信機（第１の通信手段）３０は、ＨＤＢａｓｅＴの信号を送受信可能なＨＤＢａｓｅＴ用受信機である。受信機３０は、１００ＢＡＳＥ−ＴＸやＨＤＭＩ等の規格によるデータの送受信を行う送受信部３２と、複数の規格の信号の接続の有無（つまりは接続状態）を確認する接続確認部（第１の接続確認手段）３４とを含む。さらに、受信機３０は、複数の規格の信号に対する動作モードを設定する設定部（第１の動作モード設定手段）３６を含む。送受信部３２からの信号には、１００ＢＡＳＥ−ＴＸによるネットワーク送受信信号（第１のネットワーク信号）３３、ＨＤＭＩ信号３５および不図示のその他の通信信号が含まれる。接続確認部３４と設定部３６の動作については後述する。以下の説明において、受信機３０の送受信部３２、接続確認部３４、設定部３６および動作モードをそれぞれ、ＨＤＢａｓｅＴ側の送受信部３２、接続確認部３４、設定部３６および動作モードという。
【００２５】
ネットワーク送受信信号３３は、ＬＡＮ信号切替え部（選択手段）５０に接続され、ＨＤＭＩ信号３５は受信機６０に入力される。ネットワーク送受信信号３３は、ＭＩＩ（Media Independent Interface）またはＲＭＩＩ（Reduced Media Independent Interface）と呼ばれる信号である。ネットワーク送受信信号３３は、物理層である受信機３０と論理層であるＬＡＮ信号送受信部（送受信手段）１１０とのインターフェース信号であり、後述するＬＡＮ信号切替え部５０により選択されてＬＡＮ信号送受信部１１０に接続される。
ＨＤＭＩ信号３５は高速差動信号と低速制御信号とを含み、受信機６０によりデコードされた後、映像信号、同期信号、クロック信号および音声信号等に変換されて信号受信部１２０に入力される。ＬＡＮ信号送受信部１１０と信号受信部１２０からの信号は、映像信号処理部１３０に入力され、映像信号処理や各種補正等が行われ、光学／投射部３２０に入力されて投射画像として投射される。
【００２６】
機器制御部１６０は、画像投射に必要な光源３４０の制御やプロジェクタ５００の内部の冷却を行う冷却ファン３６０の制御を行い、さらにプロジェクタ５００の起動や終了のシーケンス制御および異常の監視等を行って、プロジェクタの動作を制御する。
【００２７】
一方、受信機（第２の通信手段）４０は、Ｅｔｈｅｒｎｅｔの信号を送受信可能なＥｔｈｅｒｎｅｔ用受信機である。受信機４０は、１０ＢＡＳＥ−Ｔ、１００ＢＡＳＥ−ＴＸ、１０００ＢＡＳＥ−Ｔ等の規格によるデータ信号の送受信を行う送受信部４２と、Ｅｔｈｅｒｎｅｔによるネットワークとの接続の有無（接続状態）を確認する接続確認部（第２の接続確認手段）４４とを含む。さらに受信機４０は、Ｅｔｈｅｒｎｅｔに対する動作モードを設定する設定部（第２の動作モード設定手段）４６を含む。なお、接続確認部４４と設定部４６の動作については後述する。以下の説明において、受信機４０の送受信部４２、接続確認部４４、設定部４６および動作モードをそれぞれ、Ｅｔｈｅｒｎｅｔ側の送受信部４２、接続確認部４４、設定部４６および動作モードという。
【００２８】
送受信部４２からの信号は、ネットワーク送受信信号（第２のネットワーク信号）４３であり、ＬＡＮ信号切替え部５０に接続される。ネットワーク送受信信号４３は、１０ＢＡＳＥ−Ｔや１００ＢＡＳＥ−ＴＸの場合は、ＭＩＩまたはＲＭＩＩである。１０００ＢＡＳＥ−Ｔの場合は、ＧＭＩＩ（Gigabit Media Independent Interface）またはＲＧＭＩＩ（Reduced Gigabit Media Independent Interface）と呼ばれる信号である。ネットワーク送受信信号４３は、物理層である受信機４０と上述したＬＡＮ信号送受信部１１０とのインターフェース信号であり、ＬＡＮ信号切替え部５０により選択されてＬＡＮ信号送受信部１１０に接続される。
【００２９】
ＬＡＮ信号送受信部１１０からの信号は、映像信号処理部１３０、機器制御部１６０および選択モード設定部１４０に入力される。こりにより、Ｅｔｈｅｒｎｅｔによりプロジェクタの設定を行ったりプロジェクタの状態を確認したりするとともに、プロジェクタに送信したデータ信号に対応する投射画像を投射させることができる。
【００３０】
ＨＤＢａｓｅＴとＥｔｈｅｒｎｅｔはいずれも、Ｅｔｈｅｒｎｅｔ規格によりネットワークに接続が可能である。ただし、ＬＡＮ信号送受信部１１０での処理は、１チャンネル分のＭＩＩ、ＲＭＩＩ、ＧＭＩＩまたはＲＧＭＩＩに対するものである。このため、ＬＡＮ信号切替え部５０は、ＨＤＢａｓｅＴからのネットワーク送受信信号３３とＥｔｈｅｒｎｅｔからのネットワーク送受信信号４３のうち一方のチャンネルを選択してＬＡＮ信号送受信部１１０に接続する。
【００３１】
選択モード設定部（制御手段）１４０は、ＨＤＢａｓｅＴ側の接続確認部３４およびＥｔｈｅｒｎｅｔ側の接続確認部４４のそれぞれからの信号（つまりは確認結果）に応じてＬＡＮ切替え部５０で選択する信号（一方のネットワーク信号）を決定する。また、選択モード設定部１４０は、ＨＤＢａｓｅＴ側およびＥｔｈｅｒｎｅｔ側の接続確認部３４，４４のそれぞれからの信号（確認結果）に応じて、ＨＤＢａｓｅＴ側およびＥｔｈｅｒｎｅｔ側の設定部３６，４６で設定される動作モードを制御する。さらに、選択モード設定部１４０は、選択した信号、つまりはネットワーク送受信信号３３またはネットワーク送受信信号４３に応じて、ＬＡＮ信号送受信部１１０におけるインターフェース仕様を、ＭＩＩ、ＲＭＩＩ、ＧＭＩＩまたはＲＧＭＩＩに切り替える。
【００３２】
ここで、ＬＡＮ信号送受信部１１０におけるインターフェース仕様を切り替える際に、投射画像が乱れる場合がある。その場合は、光学／投射部３２０に入力する画像信号をサンプルパターンに切り替え、このサンプルパターンを投射するよう構成してもよい。サンプルパターンは、黒パターンやその他の色のパターンであってもよいし、模様や壁紙等の画像であってもよい。また、インターフェース仕様を切り替える際に、ＬＡＮ信号送受信部１１０をリセットしてもよいし、ＬＡＮ信号送受信部１１０の周辺回路のみ電源をＯＦＦ／ＯＮしてもよい。
【００３３】
このような機能を有する信号処理部２００は、個々の機能をディスクリート部品で構成してもよいし、例えば破線１００で囲まれた部分をＡＳＩＣやＦＰＧＡ等の集積デバイスで構成してもよい。
【００３４】
通信部（第３の通信手段）１５０は、機器制御部１６０からプロジェクタ５００の動作状態や異常の発生等を読み出して、これを表示操作装置３００に送信することでプロジェクタの動作状態、異常の内容および警告等をユーザに対して表示する。また、表示操作装置３００にてプロジェクタ５００の設定や動作に関するユーザ操作が行われると、通信部１５０は、その情報を機器制御部１６０に送信して該ユーザ操作に応じたプロジェクタ５００の設定や動作を行わせる。
さらに、通信部１５０は、選択モード設定部１４０に設定されている選択モード（これについては後述する）の情報を表示操作装置３００に送信してこれを表示させる。表示操作装置３００で選択モードの設定を変更するユーザ操作が行われた場合は通信部１５０を通して選択モード設定部１４０の設定を変更する。
ここで、通信部１５０は、近距離無線や赤外線通信等を行うように構成されていてもよい。近距離無線としては、ＢｌｕｅｔｏｏｔｈやＢＬＥ（Bluetooth Low Energy）等の低電力無線を用いてもよい。また、表示操作装置３００は、タブレット端末等の携帯端末機器により構成されてもよい。これら低電力無線と携帯端末機器を用いることにより、プロジェクタ５００が起動していない状態であっても、極めて低い電力でプロジェクタ５００の状態を確認したりプロジェクタ５００を操作したりすることが可能となる。
【００３５】
ＲＪ４５コネクタ１０，２０、受信器３０，４０、ＬＡＮ信号切替え部５０、ＬＡＮ信号送受信部１１０、選択モード設定部１４０および通信部１５０により通信装置が構成される。
【００３６】
図３のフローチャートには、選択モード設定部１４０が行う処理（動作）を示す。ここでは、プロジェクタ５００がＬＡＮケーブルを介してＨＤＢａｓｅＴおよびＥｔｈｅｒｎｅｔのうち少なくとも一方に接続された場合の処理について説明する。コンピュータにより又はその一部として構成される選択モード設定部１４０は、コンピュータプログラムである通信制御プログラムに従って本処理を実行する。
【００３７】
まず、ステップ（図にはＳｔｅｐと記す）−１０では、選択モード設定部１４０は、ＨＤＢａｓｅＴ側の接続確認部３４からの信号とＥｔｈｅｒｎｅｔ側の接続確認部４４からの信号とより通信の接続を確認する。
【００３８】
次にステップ−２０において通信の接続を確認した場合、すなわちリンクが確立している場合は、選択モード設定部１４０は、ステップ−３０に進んで選択モードがフリーモード（第１の選択モード）に設定されているか否かを確認する。フリーモードは、選択モード設定部１４０でＨＤＢａｓｅＴとＥｔｈｅｒｎｅｔのうち使用するチャンネル（設定チャンネル）を選択する際に予め決められたチャンネルを選択するのではなく、リンクが先に確立したチャンネルを選択するモードである。選択モードがフリーモードである場合は、選択モード設定部１４０はステップ−７０に進む。
【００３９】
選択モードがフリーモードではない場合、つまりは固定モード（第２の選択モード）である場合は、選択モード設定部１４０はステップ−４０に進み、リンクが確立したチャンネルが固定モードで設定されたチャンネル（固定チャンネル）か否かを判定する。固定モードは、ＨＤＢａｓｅＴとＥｔｈｅｒｎｅｔのうち設定チャンネルを選択する際に予め決められたチャンネル（特定通信手段）を選択する選択モードである。
【００４０】
リンクが確立したチャンネルが固定チャンネルである場合は、選択モード設定部１４０はステップ７０に進む。一方、リンクが確立したチャンネルが固定チャンネルと異なるチャンネル（非設定チャンネル）である場合は、選択モード設定部１４０はステップ−５０に進んで、表示操作装置３００にユーザに設定チャンネルを変更するか否かを確認する表示を行わせる。この際、表示操作装置３００に、固定チャンネルと異なるチャンネルのリンクが確立していることを警告する表示を行わせてもよい。そして、表示操作装置３００において設定チャンネルを変更することを指示するユーザ操作がなされた場合は、選択モード設定部１４０はステップ−６０に進んで非設定チャンネルを新たな設定チャンネルに変更する。この後、選択モード設定部１４０はステップ−７０に進む。
【００４１】
ステップ−７０では、選択モード設定部１４０は、ＬＡＮ信号切替え部５０とＬＡＮ信号送受信部１１０で選択する設定チャンネルを決定する。そして、ステップ−８０において、選択モード設定部１４０は、設定チャンネルがＥｔｈｅｒｎｅｔであるか否かを確認する。設定チャンネルがＥｔｈｅｒｎｅｔではなくＨＤＢａｓｅＴである場合は、選択モード設定部１４０はステップ−１００に進む。
【００４２】
ステップ−１００では、選択モード設定部１４０は、ＨＤＢａｓｅＴ側の接続確認部３４からの信号により、ＨＤＢａｓｅＴ側に対するネットワークの接続がある（ＨＤＢａｓｅＴがＬＡＮモードを含む）か否かを確認する。ＨＤＢａｓｅＴ側に対するネットワークの接続を確認した場合は、選択モード設定部１４０はステップ−１１０に進む。ステップ−１１０では、選択モード設定部１４０は、Ｅｔｈｅｒｎｅｔ側の設定部４６（つまりは受信機４０）の動作モードをネットワーク接続ＯＦＦとしてＥｔｈｅｒｎｅｔ側のネットワーク接続機能を停止させる。
【００４３】
一方、ステップ−８０にて設定チャンネルがＥｔｈｅｒｎｅｔである場合は、選択モード設定部１４０はステップ−９０に進む。ステップ−９０では、選択モード設定部１４０は、ＨＤＢａｓｅＴ側の設定部３６（つまりは受信機３０）の動作モードをネットワーク接続ＯＦＦとしてＨＤＢａｓｅＴ側でのネットワーク接続を停止（禁止）する。ただし、ＨＤＢａｓｅＴ側のネットワーク接続以外の接続、すなわち少なくともＨＤＭＩを含む１以上の規格の信号（第１のネットワーク信号以外の非ネットワーク信号）の接続は有効である。
【００４４】
こうして通信接続に用いられる設定チャンネルに対する動作モードが決定されると、ステップ−１２０において選択モード設定部１４０は通信を開始させる。これ以降は、定常監視状態となり、選択モード設定部１４０はステップ−１３０にてリンクが切れたか否かを判定する。リンクが切れた場合はステップ−１４０にてＨＤＢａｓｅＴ側の設定部３６とＥｔｈｅｒｎｅｔ側の設定部４６の各設定（または少なくとも一方の設定）を初期状態に戻し、ネッワーク接続機能を動作させる。そして、再びステップ−１０に戻って接続確認を行い、ステップ−２０でリンクが確立した場合は上述した処理を行う。
【００４５】
このように、選択モード設定部１４０の選択モードがフリーモードに設定されている場合は、ＨＤＢａｓｅＴまたはＥｔｈｅｒｎｅｔにＬＡＮケーブルが接続されてリンクが確認されると、選択モード設定部１４０はそのチャンネルを選択して通信を開始する。したがって、フリーモードでは、予めチャンネルが設定されていてもいなくても、ＬＡＮケーブルを接続したチャンネルにより通信が開始され、確実に動作させることが可能となる。
【００４６】
一方、選択モード設定部１４０の選択モードが固定モードであって設定チャンネルが予め設定されている場合であっても、非設定チャンネルのリンクが確認されると、設定チャンネルを変更するか否かをユーザに確認する。このため、ユーザが誤って非設定チャンネルにＬＡＮケーブルを接続しても、ユーザの希望に応じて設定チャンネルを変更して通信を開始させることが可能となる。
【００４７】
また、選択モードがフリーモードと固定モードのいずれであっても、選択モード設定部１４０はリンクが確立して通信を開始した後のリンク状態を監視し、リンクが切れると、ＨＤＢａｓｅＴとＥｔｈｅｒｎｅｔの設定を初期状態に戻す。このため、再びリンクが確立すれば、選択モード設定部１４０での選択モードに従って通信を開始させることが可能となる。
【００４８】
本実施例によれば、ネットワークに接続可能な複数の受信機３０，４０を有するプロジェクタ５００において、電源投入時や定常動作状態等に受信機３０，４０の通信の接続を確認し、その確認結果に応じて適切な動作モードを設定して通信を行うことができる。
【実施例２】
【００４９】
図４のフローチャートには、本発明の実施例２として、図３に示した処理の変形例を示す。図４において、図３と同じステップには同一のステップ番号を付して説明に代える。図４のフローチャートには、図３のフローチャートに対してステップ−１５０、−１６０、−１７０および−１８０が追加されたものである。コンピュータにより又はその一部として構成される選択モード設定部１４０は、コンピュータプログラムである通信制御プログラムに従って本処理を実行する。
【００５０】
ステップ−１２０で通信を開始させてステップ−１３０にてリンクが切れていないと判定した選択モード設定部１４０は、ステップ１５０に進み、非設定チャンネルのリンクが確立されているか否かを判定する。
【００５１】
非設定チャンネルのリンクが確立されている場合は、選択モード設定部１４０はステップ−１６０に進み、ステップ−５０と同様に表示操作装置３００を通じてユーザに設定チャンネルを変更するか否かを確認する。この際、ステップ−５０で説明したように表示操作装置３００警告を表示させてもよい。設定チャンネルを変更する場合は、選択モード設定部１４０はＳｔｅｐ−７０に進む。一方、設定チャンネルを変更しない場合は、選択モード設定部１４０はステップ−１７０に進み、表示操作装置３００を通じてユーザに新たなチャンネルを追加するか否かを確認する。そして、追加する場合は、選択モード設定部１４０はステップ−１８０に進んで追加されたチャンネルで通信を開始させる。
【００５２】
ここで、ＨＤＢａｓｅＴ側の受信機３０の動作モードについて、図４のフローチャートに示した処理を行う場合を例として説明する。上述したように、ＨＤＢａｓｅＴは、１００ＢＡＳＥ−ＴＸ、ＨＤＭＩおよび他の規格に対応した通信が可能である。受信機３０の動作モードは、ＨＤＢａｓｅＴ側の設定部３６により設定が可能であり、ＨＤＢａｓｅＴ側の接続確認部３４からの信号により実際のリンク（接続）の有無を確認することができる。ＨＤＢａｓｅＴ側の受信機３０の動作モードを３つに分類すると以下のようになる。
（１）ＬＡＮを含む複数の規格の信号に対応する動作モード。
（２）ＬＡＮのみに対応する動作モード。
（３）ＬＡＮを含まず、少なくともＨＤＭＩを含む１以上の規格の信号（第１のネットワーク信号以外の非ネットワーク信号）に対応する動作モード。
【００５３】
また、ＥｔｈｅｒｎｅｔによるＬＡＮ接続と排他的関係となるＨＤＢａｓｅＴの動作モードは（１）と（２）であり、（３）はＥｔｈｅｒｎｅｔとＨＤＢａｓｅＴが同時に通信を行うことが可能である。  
【００５４】
ここで、ステップ−１７０およびステップ−１８０でのチャンネル追加について説明する。例えばステップ−８０で設定チャンネルがＥｔｈｅｒｎｅｔと確認された場合は、ステップ−９０にてＨＤＢａｓｅＴ側の設定部３６がＬＡＮを含まない動作モード（３）に設定される。この後、ステップ−１５０でＬＡＮについて非設定チャンネルであるＨＤＢａｓｅＴのリンクが確立され、ステップ−１６０でＬＡＮの設定チャンネルを変更せず、ステップ−１７０でＬＡＮ以外のチャンネルを追加する場合にステップ−１８０に進む。ステップ−１８０では、ＬＡＮはＥｔｈｅｒｎｅｔにより接続された状態で、新たにＨＤＢａｓｅＴによる非ネットワーク信号に対応する通信が追加される。
【００５５】
一方、ステップ−１００でＨＤＢａｓｅＴ側にＬＡＮを含まないと判定された場合は、動作モード（３）が設定され、ＥｔｈｅｒｎｅｔによるＬＡＮ接続が可能となる。ステップ−１５０で非設定チャンネルであるＥｔｈｅｒｎｅｔのリンクが確立され、ステップ−１６０で設定チャンネルを変更せず、ステップ−１７０でチャンネルを追加する場合は、ステップ−１８０でＥｔｈｅｒｎｅｔによりＬＡＮに接続される。
【００５６】
設定チャンネルおよび非設定チャンネルと動作モードの関係をまとめると図５のようになる。非設定チャンネルの動作モードは、図４のステップ−１７０，１８０で該非設定チャンネルが追加される場合の動作モードを含む。上段（１列目）に示すＥｔｈｅｒｎｅｔおよびＨＤＢａｓｅＴ（ＬＡＮ含む／含まない）は、最初にリンクが確立した通信を示す。最も左の１列目のＥｔｈｅｒｎｅｔおよびＨＤＢａｓｅＴは設定チャンネルおよび非設定チャンネルを示す。左から２〜４列目には、設定チャンネルおよび追加される非設定チャンネルに対する動作モードを○（ＬＡＮ接続またはＬＡＮを含むモード）、△（ＬＡＮを含まないモード）および×（停止）で示す。
【００５７】
左から２列目には、Ｅｔｈｅｒｎｅｔのリンクが確立し、設定チャンネルがＥｔｈｅｒｎｅｔで追加される非設定チャンネルがＨＤＢａｓｅＴである場合の動作モードを示す。この場合、ＥｔｈｅｒｎｅｔによるＬＡＮ接続が可能となり（○）、ＨＤＢａｓｅＴ側では動作モード（３）で通信が可能となる（△）。
【００５８】
また、左から３列目には、ＨＤＢａｓｅＴ（ＬＡＮ含む）のリンクが確立し、設定チャンネルがＨＤＢａｓｅＴで非設定チャンネルがＥｔｈｅｒｎｅｔである場合の動作モードを示す。この場合、ＨＤＢａｓｅＴ（ＬＡＮ含む）でのＬＡＮ接続が可能となり（○）、Ｅｔｈｅｒｎｅｔによる通信は停止（×）となる。
【００５９】
また、左から４列目には、ＨＤＢａｓｅＴ（ＬＡＮ含まない）のリンクが確立し、設定チャンネルがＨＤＢａｓｅＴで追加される非設定チャンネルがＥｔｈｅｒｎｅｔである場合の動作モードを示す。この場合、ＨＤＢａｓｅＴ側では動作モード（３）で通信が行われ（△）、かつＥｔｈｅｒｎｅｔによるＬＡＮ接続が可能となる（○）。
【００６０】
なお、図５にそれぞれ太字で示す２列目の△と４列目の○は、設定チャンネルのみが有効になるように構成された場合にはいずれも×となる。特に４列目の○が×になると、ＬＡＮを含まないＨＤＢａｓｅＴが接続されたときに非設定チャンネルであるＥｔｈｅｒｎｅｔによる通信が停止してしまうため、ＬＡＮに接続することができなくなる。これに対して、本実施例では、設定チャンネルの動作モードを確認し、非設定チャンネルを適切な動作モードに設定して通信のリンク状態を確認し、リンクが確立すると通信を開始する。これにより、ＥｔｈｅｒｎｅｔとＨＤＢａｓｅＴのそれぞれに対する適切な動作モードを設定して通信を行うことができ、ＬＡＮへの接続が可能となる。
【実施例３】
【００６１】
次に、本発明の実施例３について説明する。本実施例では、図１に示した外部機器としてのＨＤＢａｓｅＴ機器６００が、接続確認部３４を有する受信機３０と同様に、不図示の接続確認部（以下、送信接続確認部という）を有する場合について説明する。
【００６２】
送信接続確認部は、ＨＤＢａｓｅＴが適用可能な複数の規格の信号を通信する際にプロジェクタ５００との接続を確認する。例えば、ＬＡＮケーブル６６０によりＨＤＢａｓｅＴ機器６００がプロジェクタ５００のＲＪ４５コネクタ２０に接続された場合は、ＨＤＢａｓｅＴ機器６００はＥｔｈｅｒｎｅｔ機器であるプロジェクタ５００に接続されたことを確認する。そして、１００ＢＡＳＥ−ＴＸによる通信を開始する。このとき、送信接続確認部は、Ｅｔｈｅｒｎｅｔによるリンクを確認し、このリンクの状態を１００ＢＡＳＥ−ＴＸの通信によりプロジェクタ５００に送信する。プロジェクタ５００の選択モード設定部１４０は、この１００ＢＡＳＥ−ＴＸの通信が行われることで、ＨＤＢａｓｅＴ側およびＥｔｈｅｒｎｅｔ側の接続確認部３４，４４からＨＤＢａｓｅＴ機器６００におけるＬＡＮ（Ｅｔｈｅｒｎｅｔ）のリンクを確認する。この場合、Ｅｔｈｅｒｎｅｔの接続確認部４４と送信接続確認部のＬＡＮのリンクが確認される。これにより、選択モード設定部１４０は、ＨＤＢａｓｅＴ機器６００とプロジェクタ５００とがＬＡＮケーブル６６０により接続されていることを確認することができ、このＬＡＮ接続を通信部１５０を通じて表示操作装置３００に表示させる。
この際、ＬＡＮによる通信は正常に行われているが、これがユーザが意図していない接続である場合は、ユーザはＬＡＮケーブル６６０を外してＬＡＮケーブル６５０またはＬＡＮケーブル７５０として接続すればよい。
【００６３】
また、Ｅｔｈｅｒｎｅｔ機器７００がＬＡＮケーブル７６０によりプロジェクタ５００に接続された場合は、ＨＤＢａｓｅＴ側の接続確認部３４はＬＡＮのリンクを確認し、通信開始が選択された場合にＬＡＮによる通信を行う。選択モード設定部１４０はこのＬＡＮ接続を通信部１５０を通じて表示操作装置３００に表示させる。
【００６４】
この際、ＬＡＮによる通信は正常に行われているが、これがユーザが意図していない接続である場合、つまりはＨＤＢａｓｅＴ機器６００によりＨＤＭＩ等の規格を含む接続を行いたい場合がある。この場合、ＨＤＢａｓｅＴ側の接続確認部３４はＨＤＭＩを含むリンク確認を出力するはずであり、接続が誤っていることが分かる。このため、ユーザがＬＡＮケーブル７６０を外し、ＬＡＮケーブル６５０として接続することにより、意図した接続を行うことが可能となる。
【００６５】
このように、本実施例によれば、ＨＤＢａｓｅＴ機器６００の送信続接確認部、ＨＤＢａｓｅＴ側およびＥｔｈｅｒｎｅｔ側の接続確認部３４，４４によりＬＡＮ接続を確認してその結果を表示操作装置３００に表示する。これにより、ユーザは、ＨＤＢａｓｅＴとＥｔｈｅｒｎｅｔのそれぞれに対するＬＡＮケーブルの接続を確認することができ、ＬＡＮケーブルの誤接続を防止することができる。
【実施例４】
【００６６】
図６には、本発明の実施例４の信号処理部２００ａの構成を示している。実施例１（図２）と共通する構成要素には、同一の符号を付して説明に代える。
【００６７】
本実施例は、ＲＪ４５コネクタ２０に接続される受信機（実施例１ではＥｔｈｅｒｎｅｔ用受信機４０）が、ＨＤＢａｓｅＴ用受信機３０ａとなっている点で実施例１と異なる。
【００６８】
受信機３０ａは、１００ＢＡＳＥ−ＴＸやＨＤＭＩ等の規格でデータ送受信を行う送受信部３２ａと、複数の規格の信号との接続（または接続状態）を確認する接続確認部（第２の接続確認手段）３４ａとを含む。さらに、受信機３０ａは、複数の通信の動作を設定する設定部（第２の動作設定手段）３６ａを含む。
【００６９】
送受信部３２ａからの信号には、１００ＢＡＳＥ−ＴＸによるネットワーク送受信信号（第２のネットワーク信号）３３ａ、ＨＤＭＩ信号４５および不図示のその他の通信信号が含まれる。ＨＤＭＩ信号４５は、高速差動信号と低速制御信号とを含み、受信機６０ａによりデコードされた後、映像信号、同期信号、クロック信号および音声信号等に変換されて信号受信部１２０ａに入力される。ＬＡＮ信号送受信部１１０、信号受信部１２０ａおよび信号受信部１２０からの信号は、映像信号処理部１３０ａに入力され、映像信号処理や各種補正等が行われ、光学／投射部３２０に入力されて投射画像として投射される。
【００７０】
このような機能を有する信号処理部２００ａは、個々の機能をディスクリート部品で構成してもよいし、例えば破線１００ａで囲まれた部分をＡＳＩＣやＦＰＧＡ等の集積デバイスで構成してもよい。
【００７１】
本実施例における  設定チャンネルおよび非設定チャンネルと動作モードとの関係をまとめると図７のようになる。非設定チャンネルの動作モードは、該非設定チャンネルが追加される場合の動作モードを含む。図７において、受信機３０に接続されるＨＤＢａｓｅＴをＨＤＢａｓｅＴ−１で示し、受信機３０ａに接続されるＨＤＢａｓｅＴをＨＤＢａｓｅＴ−２で示す。
【００７２】
上段（１列目）に示すＨＤＢａｓｅＴ−１（ＬＡＮ含む／含まない）およびＨＤＢａｓｅＴ−２（ＬＡＮ含む／含まない）は、最初にリンクが確立した通信を示す。最も左の１列目のＨＤＢａｓｅＴ−１およびＨＤＢａｓｅＴ−１は設定チャンネルおよび非設定チャンネルを示す。左から２〜５列目には、設定チャンネルおよび非設定チャンネルに対する動作モードを○（ＬＡＮ接続またはＬＡＮを含むモード）および△（ＬＡＮを含まないモード）で示す。
【００７３】
左から２列目には、ＨＤＢａｓｅＴ−１（ＬＡＮ含む）のリンクが確立し、設定チャンネルがＨＤＢａｓｅＴ−１で追加される非設定チャンネルがＨＤＢａｓｅＴ−２である場合の動作モードを示す。この場合、ＨＤＢａｓｅＴ−１によるＬＡＮ接続が可能となり（○）、ＨＤＢａｓｅＴ−２側では実施例２で説明した動作モード（３）で通信が可能となる（△）。
【００７４】
また、左から３列目には、ＨＤＢａｓｅＴ−１（ＬＡＮ含まない）のリンクが確立し、設定チャンネルがＨＤＢａｓｅＴ−１で追加される非設定チャンネルがＨＤＢａｓｅＴ−２である場合の動作モードを示す。この場合、ＨＤＢａｓｅＴ−１側では動作モード（３）で通信が可能となり（△）、第２のＨＤＢａｓｅＴによるＬＡＮ接続が可能となる（○）。
【００７５】
また、左から４列目には、ＨＤＢａｓｅＴ−２（ＬＡＮ含む）のリンクが確立し、設定チャンネルがＨＤＢａｓｅＴ−２で追加される非設定チャンネルがＨＤＢａｓｅＴ−１である場合の動作モードを示す。この場合、ＨＤＢａｓｅＴ−２によるＬＡＮ接続が可能となり（○）、ＨＤＢａｓｅＴ−１側では動作モード（３）で通信が可能となる（△）。
【００７６】
さらに、左から５列目には、ＨＤＢａｓｅＴ−２（ＬＡＮ含まない）のリンクが確立し、設定チャンネルがＨＤＢａｓｅＴ−２で追加される非設定チャンネルがＨＤＢａｓｅＴ−１である場合の動作モードを示す。この場合、ＨＤＢａｓｅＴ−２側では動作モード（３）で通信が可能となり（△）、ＨＤＢａｓｅＴ−１によるＬＡＮ接続が可能となる（○）。
【００７７】
なお、図７にそれぞれ太字で示す２列目と４列目の△と３列目と５列目の○は、設定チャンネルのみが有効になるように構成された場合にはいずれも×となる。特に３列目と５列目の○が×になると、ＬＡＮを含まないＨＤＢａｓｅＴ−１またはＨＤＢａｓｅＴ−１が接続されたときに非設定チャンネルによる通信が停止してしまうため、ＬＡＮに接続することができなくなる。これに対して、本実施例では、設定チャンネルの動作モードを確認し、非設定チャンネルを適切な動作モードに設定して通信のリンク状態を確認し、リンクが確立すると通信を開始する。これにより、複数のＨＤＢａｓｅＴに対する適切な動作モードを設定して通信を行うことができ、ＬＡＮへの接続が可能となる。
【００７８】
以上説明した各実施例によれば、それぞれネットワークに接続可能な受信機３０，４０（または３０ａ）に対する信号の接続を確認し、その確認結果に応じてそれぞれの受信機に対する適切な動作モードを設定して通信を行うことができる。
【００７９】
上記各実施例では、画像表示装置として投射した画像を表示する画像投射装置について説明したが、本発明の他の実施例として、直視型の画像表示装置も含む。
【００８０】
以上説明した各実施例は代表的な例にすぎず、本発明の実施に際しては、各実施例に対して種々の変形や変更が可能である。
【符号の説明】
【００８１】
３０，３０ａ  ＨＤＢａｓｅＴ用受信機
３４，４４，３４ａ  接続確認部
３６，４６，３６ａ  設定部
４０  Ｅｔｈｅｒｎｅｔ用受信機
５０  ＬＡＮ信号切替え部
１４０  選択モード設定部
２００，２００ａ  (通信装置を含む)信号処理部
【図１】
0006723734.tif 000002
【図２】
0006723734.tif 000003
【図３】
0006723734.tif 000004
【図４】
0006723734.tif 000005
【図５】
0006723734.tif 000006
【図６】
0006723734.tif 000007
【図７】
0006723734.tif 000008